(57)【要約】【課題】接続対象物の小型化に合わせて電子部品を小型化できるようにする。【解決手段】第１のピン端子１９と第２のピン端子２０と、それらの保持壁１７ｃを有する外部接続用ケース３を備える。第１のピン端子１９と第２のピン端子２０は、それぞれ、コネクタ用接続部１９ａ、２０ａと、外部出力用接続部１９ｂ、２０ｂとを有しており、相互に隣接するコネクタ用接続部１９ａ、２０ａの離間距離は相互に隣接する外部出力用接続部１９ｂ、２０ｂの離間距離よりも長くなるように形成されている。【選択図】図２
2019029168.tif 000002
【特許請求の範囲】
【請求項１】
コネクタの接続用ハウジングに形成された第１の接続室に挿入される第１の端子と、
前記接続用ハウジングに形成された第２の接続室に挿入される第２の端子と、
前記第１の端子と前記第２の端子の保持壁を有する保持ハウジングと、を備えており、
前記第１の端子と前記第２の端子は、それぞれ、前記保持壁の一方面側から前記コネクタに向けて伸長するコネクタ用接続部と、前記保持壁の他方面側から伸長する外部出力用接続部とを有する電子部品において、
前記第１の端子と前記第２の端子は、相互に隣接する前記コネクタ用接続部の離間距離が、相互に隣接する前記外部出力用接続部の離間距離よりも長いことを特徴とする電子部品。
【請求項２】
前記第１の端子と前記第２の端子の少なくとも何れかは、前記コネクタ用接続部の前記離間距離を前記外部出力用接続部の前記離間距離よりも長くする屈曲部を有する請求項１記載の電子部品。
【請求項３】
前記屈曲部は、前記第１の端子と前記第２の端子の配置方向で互いに離間するように屈曲する形状である請求項２記載の電子部品。
【請求項４】
複数の前記第１の端子と複数の前記第２の端子がそれぞれ並列に配置されており、
相互に隣接する前記第１の端子の前記屈曲部および前記第２の端子の前記屈曲部が、前記第１の端子および前記第２の端子の配列方向で互いに離間するように屈曲する形状である請求項２または請求項３記載の電子部品。
【請求項５】
複数の前記第１の端子と複数の前記第２の端子がそれぞれ並列に配置されており、
前記第１の端子の屈曲部と前記第２の屈曲部が、前記第１の端子と前記第２の端子の配置方向および前記第１の端子および前記第２の端子の配列方向で互いに離間するように屈曲する形状である請求項２〜請求項４何れか１項記載の電子部品。
【請求項６】
前記保持壁は、前記屈曲部の埋設部を有する請求項２〜請求項４何れか１項記載の電子部品。
【請求項７】
前記コネクタとして可動コネクタをさらに備えており、
前記可動コネクタは、
固定ハウジングと、
前記接続用ハウジングとしての可動ハウジングと、
前記固定ハウジングに対して前記可動ハウジングを変位可能に支持する端子とを有する
請求項１〜請求項６何れか１項記載の電子部品。
【発明の詳細な説明】
【技術分野】
【０００１】
本発明は、コネクタと嵌合接続する電子部品および当該コネクタを備える電子部品に関する。
【背景技術】
【０００２】
電気機器に内蔵された電子部品とコネクタとの接続構造として、例えば特許文献１で示すような車載カメラにおける接続構造が知られている。この従来技術では、電子部品をなすケース（後側ケース９）の隔壁（後壁Ｂ）を貫通するように複数本のストレートピン形状のコネクタ端子（１１ｂ）が設けられている。そのコネクタ端子の一端側は撮像素子（３ａ）を有する基板に実装した基板側コネクタに挿入されて導通接続し、他端側は撮像素子（３ａ）の信号を外部機器に出力するハーネス（接続対象物）の端末にあるハーネス用コネクタ（相手側コネクタ１００）に導通接続する。
【先行技術文献】
【特許文献】
【０００３】
【特許文献１】特開２００７−００１３３４、図１、図２
【特許文献２】特開２００７−０１８７８５、図１、図３
【発明の概要】
【発明が解決しようとする課題】
【０００４】
車載用の電気機器については小型化が追求されており、前述の車載カメラ、ハーネスも同様に小型化が追求されている。しかしながら、ハーネスとともにハーネス用コネクタを小型化すればするほど、それに接続するコネクタ端子（１１ｂ）の配置間隔も狭ピッチに配置する必要がある。ところが、そうするとコネクタ端子（１１ｂ）の前記一端側の配置間隔が前記基板側コネクタの接続室の配置間隔と合致しなくなるため、基板側コネクタのハウジングに突き当たり、接続室に挿入できなくなる。
【０００５】
この問題に対する一つの解決策は、コネクタ端子（１１ｂ）の前記一端側の配置間隔と合うように前記基板側コネクタを小型化することである。しかしながら基板側コネクタが可動コネクタ（一例として特許文献２参照。）である場合には、そのまま小型化できない理由がある。即ち、可動コネクタは、基板に実装される固定ハウジングと、固定ハウジングに対してＸ方向、Ｙ方向、Ｚ方向の三次元方向で変位可能な可動ハウジングと、可動ハウジングを変位可能に支持する例えば逆Ｕ字状の可動ばねを有する端子とを備えている。可動コネクタの利点は、接続対象物との嵌合接続時に、可動ハウジングが可動ばねによって変位することで接続対象物の挿入位置の位置ずれを吸収したり、また電気機器の使用時に生じる振動や衝撃を可動ばねの変位によって吸収したりすることにある。そして、このような可動コネクタとして構成された前記基板側コネクタを、コネクタ端子（１１ｂ）の狭ピッチ化に合わせて小型化すると、隣接する接続室の配置間隔が狭くなり、各接続室にコネクタ端子（１１ｂ）の挿入を誘い込むためのすり鉢状の誘導面についてもＸ−Ｙ方向での広がりも小さくなって、誘導面を利用したコネクタ端子（１１ｂ）の誘い込み量が少なくなってしまう。この結果、接続室の挿入軸に対するコネクタ端子の挿入位置のずれを許容できる長さが短くなってしまう。
【０００６】
そして、特に可動コネクタの場合には、誘導面による誘い込み量が可動ばねのＸ−Ｙ方向での変位量となることから、可動ばねがＸ−Ｙ方向に変位する機能を十分に生かし切れないことになり、また電気機器の組立上の累積公差を可動ばねの変位で吸収する限界量も小さく制限されてしまう。
【０００７】
以上のような従来技術を背景になされたのが本発明である。その目的は、接続対象物の小型化に合わせて電子部品を小型化しながらも、誘導面による接続対象物に対する誘い込み量をできるだけ制限しないようにすることにある。
【課題を解決するための手段】
【０００８】
上記目的を達成すべく本発明は、以下の特徴を有するものとして構成される。
【０００９】
本発明は、コネクタの接続用ハウジングに形成された第１の接続室に挿入される第１の端子と、前記接続用ハウジングに形成された第２の接続室に挿入される第２の端子と、前記第１の端子と前記第２の端子の保持壁を有する保持ハウジングと、を備えており、前記第１の端子と前記第２の端子は、それぞれ、前記保持壁の一方面側から前記コネクタに向けて伸長するコネクタ用接続部と、前記保持壁の他方面側から伸長する外部出力用接続部とを有する電子部品について、前記第１の端子と前記第２の端子は、相互に隣接する前記コネクタ用接続部の離間距離が、相互に隣接する前記外部出力用接続部の離間距離よりも長いことを特徴とする。
【００１０】
本発明の電子部品によれば、前記第１の端子と前記第２の端子は、相互に隣接する前記コネクタ用接続部の離間距離が、相互に隣接する前記外部出力用接続部の離間距離よりも長い。このため外部出力用接続部に接続する接続対象物（例えば前記ハーネス、前記ハーネス用コネクタ）のコネクタ端子の狭ピッチ化に対応しつつ、コネクタ用接続部については接続対象物となる前記コネクタの前記接続用ハウジングの第１の接続室と第２の接続室の配置間隔に合わせることができる。したがって外部出力用接続部については、それと接続する接続対象物の小型化に対応しながらも、コネクタ用接続部については、それと接続するコネクタの誘導面の広がりを維持して有効な誘い込み量を確保することができる。
【００１１】
前記本発明については、前記第１の端子と前記第２の端子の少なくとも何れかが、前記コネクタ用接続部の前記離間距離を前記外部出力用接続部の前記離間距離よりも長くする屈曲部を有するように構成できる。
【００１２】
本発明によれば、屈曲部は、第１の端子および第２の端子を構成するストレートピン等の金属片を屈曲させる曲げ加工により形成することができるので、様々な屈曲形状を高精度で容易に形成することが可能であり、したがって隣接するコネクタ用接続部の離間距離と外部出力用接続部の離間距離を所定の長さで配置することができる。
【００１３】
前記本発明の屈曲部については、前記第１の端子と前記第２の端子の配置方向で互いに離間するように屈曲する形状を有するように構成できる。
【００１４】
本発明によれば、屈曲部が前記第１の端子と前記第２の端子の配置方向（Ｙ方向）で互いに離間するように屈曲する形状を有するため、当該配置方向（Ｙ方向）で外部出力用接続部の離間距離を短くすることができ、外部出力用接続部と接続する接続対象物を当該配置方向（Ｙ方向）で小型化することができる。
【００１５】
前記本発明については、複数の前記第１の端子が並列に配置されており、相互に離間する複数の前記第１の端子の前記屈曲部は、前記第１の端子の配列方向で互いに離間するように屈曲する形状を有するように構成できる。
【００１６】
本発明によれば、相互に離間する複数の前記第１の端子の前記屈曲部が、前記第１の端子の配列方向（Ｘ方向）で互いに離間するように屈曲する形状を有するため、第１の端子の配列方向（Ｘ方向）で隣接する第１の端子の外部出力用接続部の離間距離を短くすることができ、外部出力用接続部と接続する接続対象物を当該配列方向（Ｘ方向）で小型化することができる。
【００１７】
前記本発明については、前記第２の端子が並列に配置されており、相互に隣接する複数の前記第２の端子の前記屈曲部が、前記第２の端子の配列方向で互いに離間するように屈曲する形状を有するように構成することができる。
【００１８】
本発明によれば、相互に離間する複数の前記第２の端子の前記屈曲部が、前記第２の端子の配列方向（Ｘ方向）で互いに離間するように屈曲する形状を有するため、第２の端子の配列方向（Ｘ方向）で隣接する第２の端子の外部出力用接続部の離間距離を短くすることができ、外部出力用接続部と接続する接続対象物を当該配列方向（Ｘ方向）で小型化することができる。
【００１９】
前記本発明については、複数の前記第１の端子と複数の前記第２の端子がそれぞれ並列に配置されており、相互に隣接する前記第１の端子の前記屈曲部および前記第２の端子の前記屈曲部が、前記第１の端子および前記第２の端子の配列方向（Ｘ方向）で互いに離間するように屈曲する形状を有するように構成することができる。
【００２０】
本発明によれば、外部出力用接続部と接続する接続対象物を複数の第１の端子と複数の第２の端子の配列方向（Ｘ方向）で小型化することができる。
【００２１】
前記本発明については、複数の前記第１の端子と複数の前記第２の端子がそれぞれ並列に配置されており、前記第１の端子の屈曲部と前記第２の屈曲部が、前記第１の端子と前記第２の端子の配置方向（Ｙ方向）および前記第１の端子および前記第２の端子の配列方向（Ｘ方向）で互いに離間するように屈曲するように構成することができる。
【００２２】
本発明によれば、第１の端子と第２の端子の屈曲部が、前記第１の端子と前記第２の端子の配置方向（Ｙ方向）および前記第１の端子および前記第２の端子の配列方向（Ｘ方向）で互いに離間するように屈曲するので、隣接する外部出力用接続部の離間距離を当該配置方向（Ｙ方向）および当該配列方向（Ｘ方向）の双方で短くすることができる。したがって、外部出力用接続部と接続する接続対象物を当該配置方向（Ｙ方向）および当該配列方向（Ｘ方向）の双方で小型化することができる。
【００２３】
前記本発明については、前記保持壁が前記屈曲部の埋設部を有するように構成できる。
【００２４】
例えば、屈曲部が保持壁の外部に露出していると、外部出力用接続部を接続対象物と接続する際およびコネクタ用接続部をコネクタと接続する際に、挿入力が屈曲形状の屈曲部に作用することで、屈曲部が曲がったり折れたりおそれがある。また、保持壁から屈曲部が露出している構成では、屈曲部を超えて保持壁と当接するまで接続対象物やコネクタを挿入することができないため、その挿入方向でコネクタが大型化してしまう。しかしながら本発明によれば、屈曲部が保持壁の埋設部で保持されるので、外部出力用接続部とコネクタ用接続部が曲がったり折れたりすることがなく確実な導通接続が得られる。また保持壁と当接するまで接続対象物やコネクタを挿入することができるので、前記挿入方向でのコネクタの大型化を回避することができる。さらに、接続対象物やコネクタを抜去する際に、保持壁から第１の端子と第２の端子を抜去する力が作用しても、屈曲部が埋設部に引っ掛かるので、第１の端子と第２の端子が保持壁から抜けることを防ぐことができる。
【００２５】
前記本発明については、前記コネクタとして可動コネクタをさらに備えており、前記可動コネクタは、固定ハウジングと、前記接続用ハウジングとしての可動ハウジングと、前記固定ハウジングに対して前記可動ハウジングを変位可能に支持する端子とを有するように構成できる。
【００２６】
本発明によれば、コネクタが可動コネクタであり、可動ハウジングが固定ハウジングに対して変位可能であるため、第１の端子および第２の端子のコネクタ用接続部を可動ハウジングの第１の接続室と第２の接続室に挿入する際には、それらの相互の挿入位置のずれを可動ハウジングの変位によって吸収することができる。
【発明の効果】
【００２７】
本発明の電子部品によれば、第１の端子と第２の端子の外部出力用接続部と接続する接続対象物を小型化しつつ、コネクタの誘導面による誘い込みを利用してコネクタ用接続部を確実に接続することができる。
【００２８】
また、可動コネクタを備える本発明の電子部品によれば、コネクタ用接続部を嵌合接続する可動コネクタを小型化する必要がないので、コネクタ用接続部の挿入位置のずれを可動ハウジングの十分な誘い込み量により吸収することができる一方で、小型化した接続対象物に合わせて外部出力用接続部を嵌合接続することができる。
【図面の簡単な説明】
【００２９】
【図１】一実施形態による電子部品の平面図。
【図２】図１のＩＩ−ＩＩ線断面を９０度右に回転させた断面図。
【図３】図１のＩＩＩ−ＩＩＩ線断面図。
【図４】図１の電子部品に備える第１の端子と第２の端子を示す説明図であり、図４Ａは平面図、図４Ｂは正面図、図４Ｃは底面図、図４Ｄは右側面。
【図５】図１の電子部品の作用を説明する図２相当の断面図。
【図６】図１の電子部品の作用を説明する図３相当の断面図。
【図７】図１の電子部品の嵌合接続状態を示す図２相当の断面図。
【発明を実施するための形態】
【００３０】
以下、本発明による電子部品の一実施形態について図面を参照しつつ説明する。以下の実施形態では、本発明の電子部品をカメラモジュール１に適用する例を示すが、本発明の電子部品はそれに限定されるものではない。
【００３１】
本明細書、特許請求の範囲に記載されている「第１」「第２」という用語は、発明の異なる構成要素を区別するために用いるものであり、特定の順序や優劣を示すために用いるものではない。また本明細書、特許請求の範囲では、説明の便宜上、各図に示されるように、カメラモジュール１に備える中継コネクタ８の幅方向・左右方向をＸ方向、奥行き方向・前後方向をＹ方向、高さ方向・上下方向をＺ方向として説明するが、それらはカメラモジュール１の実装方法や使用方法を限定するものではない。
【００３２】
カメラモジュール１
カメラモジュール１は、例えば自動車等に搭載される車載用カメラの構成部品である。カメラモジュール１は、外部と導通接続する複数の「端子」としてのピン端子２を保持する「保持ハウジング」としての外部接続用ケース３と、撮像部品ケース４とを備えている。外部接続用ケース３と撮像部品ケース４は、何れも箱状に形成されて相互に嵌合可能に構成されており、ねじ等の固定部材によって相互に固定することができる。
【００３３】
撮像部品ケース４
撮像部品ケース４は、図２の下側（Ｚ方向）に底壁を有する箱状に構成されている。撮像部品ケース４は、レンズユニット等の光学部品４ａと、撮像部品ケース４の内部に設けられる撮像部品５とを備えて構成されている。
【００３４】
撮像部品５
撮像部品５は、各種の電気素子と回路配線とを有する基板６ａおよび基板６ｂと、基板６ａと基板６ｂとを接続する内部コネクタ７と、基板６ｂに実装された本発明の「コネクタ」としての中継コネクタ８と、基板６ａの下面に実装されて光学部品４ａから導かれる光を電気信号に変換して外部に出力する撮像素子９とを有する。撮像素子９は、ＣＣＤ（Ｃｈａｒｇｅ  Ｃｏｕｐｌｅｄ  Ｄｅｖｉｃｅ）や、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージングデバイスである。
【００３５】
中継コネクタ８
中継コネクタ８は、基板６ｂの上面に実装されており、ピン端子２を介して、撮像部品５を外部機器に接続し、撮像部品５により生成した電気信号を外部機器に出力する機能を有する。
【００３６】
中継コネクタ８は、固定ハウジング１０と、本発明の「接続用ハウジング」としての可動ハウジング１１と、複数の端子１２と、固定金具１３とを備える。中継コネクタ８は、固定ハウジング１０が基板６ｂに実装され、可動ハウジング１１が端子１２によって固定ハウジング１０に対して移動可能に支持されるように構成されている。即ち中継コネクタ８は、固定ハウジング１０に対して可動ハウジング１１がＸ方向、Ｙ方向、Ｚ方向を組み合わせた三次元方向に移動可能なフローティングコネクタ（可動コネクタ）として構成されている。
【００３７】
固定ハウジング１０
固定ハウジング１０は、枠状の周壁１０ａにて形成されており、その内側には可動ハウジング１１の収容室１０ｂが形成されている（図５、図６）。
【００３８】
周壁１０ａの長手方向（Ｘ方向）に沿う一対の側壁１０ｃには、それぞれ固定ハウジング１０の高さ方向（Ｚ方向）に沿って伸長し、端子配列方向（Ｘ方向）に沿って並列に配置された複数の端子固定部１０ｄが形成されている（図５）。各端子固定部１０ｄには端子１２の一端側（固定ハウジング用固定部１２ｂ）が圧入され固定される。周壁１０ａの短手方向（Ｙ方向）に沿う一対の側壁１０ｅには、固定金具１３が固定されている（図６参照）。
【００３９】
可動ハウジング１１
可動ハウジング１１は、固定ハウジング１０の周壁１０ａに沿った直方体状に形成されている。可動ハウジング１１には、外部接続用ケース３が有する複数本のピン端子２と導通接続するため、ピン端子２の数と同数の接続室１４が設けられている。本実施形態の可動ハウジング１１には、幅方向（Ｘ方向）に沿って４つ（４列）、奥行き方向（Ｙ方向）に沿って２つ（２行）で合計８つの接続室１４が設けられている。即ち、接続室１４は、可動ハウジング１２の長手方向に沿う中心線に対して対称に形成されている。なお、後述する第１のピン端子１９（１９Ａ〜１９Ｄ）が挿入される接続室１４は本発明の「第１の接続室」に対応し、第２のピン端子２０（２０Ａ〜２０Ｄ）が挿入される接続室１４は本発明の「第２の接続室」に対応している。
【００４０】
各接続室１４は、高さ方向（Ｚ方向）で可動ハウジング１２を貫通して形成されており、水平方向（Ｘ−Ｙ方向）の断面が四角形状であり、Ｘ方向に沿う側壁１５ａとＹ方向に沿う側壁１５ｂとを有する。各接続室１４の側壁１５ｂには端子１２の他端側（可動ハウジング用固定部１２ｄ）を圧入固定する端子固定部１５ｃが形成されている。
【００４１】
各接続室１４の上部には、ピン端子２の挿入を誘導する誘導面１６が形成されている。誘導面１６は、可動ハウジング１１の天面１１ａに開口しており、接続室１６におけるピン端子２の挿入口として形成されている。誘導面１６は、中継コネクタ８の長手方向（Ｘ方向）に沿う一対の長手側誘導面１６ａと、中継コネクタ８の短手方向（Ｙ方向）に沿う一対の短手側誘導面１６ｂとを有しており、四角錐台状のテーパー面（凹面）として形成されている。
【００４２】
ここで、ピン端子２の挿入方向と直交する線を基準線Ｌとして定義する（図５、図６）。可動ハウジング１１の天面１１ａは、基準線Ｌに対してなす角度θが０度であるのに対して、天面１１ａに対して下り傾斜面となる誘導面１６の角度θは鋭角、例えば４５度に形成される。即ち誘導面１６は、接続室１６の内部側からピン端子２の挿入側に向かって拡幅している。角度θが０度の面にピン端子２が下向き（Ｚ方向）に押し込まれた場合には、水平方向（Ｘ−Ｙ方向）の分力が生じない。これに対し、角度θが鋭角の誘導面１６にピン端子２が下向き（Ｚ方向）に押し込まれた場合には、ピン端子２が接続室１４に滑り落ちる分力と、可動ハウジング１１をピン端子２が滑り落ちる方向とは逆向きに押す分力とが生じることになり、これによりスムーズにピン端子２を接続室１４に落とし込むことができる。したがって、角度θは０度から９０度の範囲で大きくなればなるほど摺動抵抗が少なくなり、スムーズにピン端子２を挿入することができる。
【００４３】
なお、本実施形態では誘導面１６を平坦面として形成する例を示したが、湾曲面として形成してもよい。例えば誘導面２０が上方向（Ｚ方向）に凸の湾曲面であると、ピン端子２の接続室１４への挿入が進むにつれてピン端子２が受ける反力が軽くなり、このためピン端子２をスムーズに接続室１４に挿入することができる。
【００４４】
可動ハウジング１１には、幅方向（Ｘ方向）の外側に向かって突出する変位規制突起１１ｂが形成されており（図６）、これがＸ方向、Ｙ方向、Ｚ方向の下向きで固定ハウジング１０と接触し、Ｚ方向の上向きで固定金具１３と接触することで、可動ハウジング１１の過剰な変位を規制するようになっている。
【００４５】
端子１２
複数の端子１２は、すべて同じ形状とされており、導電性の金属片を屈曲して形成されている。各端子１２は、基板６ｂにはんだ付けされる基板接続部１２ａと、固定ハウジング１０の端子固定部１０ｄに圧入により固定される固定ハウジング用固定部１２ｂと、逆Ｕ字状に伸長するばね部１２ｃと、可動ハウジング１１の端子固定部１５ｃに板幅方向（Ｘ方向）で圧入により固定される可動ハウジング用固定部１２ｄと、可動ハウジング用固定部１２ｄの上端から伸長する弾性腕１２ｅと、弾性腕１２ｅの先端に形成された山状に屈曲する接点部１２ｆとを有している。
【００４６】
ばね部１２ｃは、固定ハウジング１０に対して可動ハウジング１１を幅方向（Ｘ方向）、奥行き方向（Ｙ方向）、および高さ方向（Ｚ方向）を組み合わせた三次元方向に変位可能に支持するばねとして形成されている。
【００４７】
弾性腕１２ｅと接点部１２ｆは、接続室１４に収容されており、接続室１４に挿入されるピン端子２に対して押圧接触することで導通接続する。即ち接続室１４に挿入されるピン端子２が接点部１２ｆと押圧接触し、その押圧接触に対する弾性腕１２ｅのばね力（反力）により接点部１２ｆが所定の接触圧でピン端子２に接触することで、良好な導通接続が得られる。
【００４８】
外部接続用ケース３
外部接続用ケース３は、第１のケース１７と、第２のケース１８と、複数のピン端子２とを備える。外部接続用ケース３は本発明の「保持ハウジング」を構成し、複数のピン端子２は「第１の端子」と「第２の端子」を構成する。第１のケース１７は、外筒１７ａと、内筒１７ｂと、隔壁１７ｃとを有する。内筒１７ｂの内部には、図示しない外部機器から伸長するハーネスに設けられているハーネス用コネクタが挿入されて嵌合接続する。外筒１７ａには、図示しないそのハーネス用コネクタの収容部が接続される。隔壁１７ｃには、複数のピン端子２を埋設状態で保持する埋設部１７ｄを有する。第１のケース１７は、硬質樹脂の成形体にて形成されており、複数のピン端子２はインサート成形により第１のケース１７の隔壁１７ｃに一体化されている。第２のケース１８も、環状の硬質樹脂の成形体にて形成されており、第１のケース１７に対して接着等の固着手段により一体化されている。なお、第１のケース１７と第２のケース１８は、別々の成形体として形成する例を示したが、一つの成形体として形成してもよい。
【００４９】
複数のピン端子２は、具体的には幅方向（Ｘ方向）に沿って配列される「第１の端子」としての複数本の第１のピン端子１９と、同様に幅方向（Ｘ方向）に沿って配列される「第２の端子」としての複数本の第２のピン端子２０とを有している。第１のピン端子１９と第２のピン端子２０は、奥行き方向（Ｙ方向）で並んで配置されている。第１のピン端子１９は、隔壁１７ｃの下面から撮像部品ケース４に向けて伸長するコネクタ用接続部１９ａと、隔壁１７ｃの上面からコネクタ用接続部１９ａの反対側に伸長する外部出力用接続部１９ｂと、隔壁１７ｃに埋設されている屈曲部１９ｃとを有している。第２のピン端子２０も第１のピン端子１９と同様のコネクタ用接続部２０ａ、外部出力用接続部２０ｂ、屈曲部２０ｃとを有している。
【００５０】
コネクタ用接続部１９ａ、２０ａは、先端側が細くなる四角錐台状に形成されている。可動ハウジング１１の誘導面１６は四角錐台状のテーパー面として形成されており、コネクタ用接続部１９ａ、２０ａは、その四隅が誘導面１６の四隅と形状的に合致しており係止させやすい。このためコネクタ用接続部１９ａ、２０ａの先端部を円形状とする場合と比較して、第１のピン端子１９と第２のピン端子２０のより大きな挿入位置のずれを吸収することができる。
【００５１】
第１のピン端子１９と第２のピン端子２０は、図４（Ｂ）で示すように本実施形態ではＸ方向に沿って４本ずつ配列されている。それらを左から順に、左端ピン端子１９Ａ、２０Ａ、左中ピン端子１９Ｂ、２０Ｂ、右中ピン端子１９Ｃ、２０Ｃ、右端ピン端子１９Ｄ、２０Ｄとすると、Ｘ方向で相互に隣接するそれらの外部出力用接続部１９ｂ、２０ｂの離間距離Ｄ１は同じ長さとなっている。また、左中ピン端子１９Ｂ、２０Ｂと右中ピン端子１９Ｃ、２０Ｃの屈曲部１９ｃ、２０ｃは、屈曲の向きが逆向きであるが屈曲量は同じである。また、左端ピン端子１９Ａ、２０Ａと右端ピン端子１９Ｄ、２０Ｄの屈曲部１９ｃ、２０ｃも、屈曲の向きは逆向きであるが、屈曲量は同じである。このようにＸ方向で屈曲する屈曲部１９ｃ、２０ｃを形成することで、相互に隣接するコネクタ用接続部１９ａ、２０ａの離間距離Ｄ２は同じとなっており、且つ離間距離Ｄ２は離間距離Ｄ１よりも長くなるように配置されている。
【００５２】
また、Ｙ方向で相互に隣接する左端ピン端子１９Ａ、２０Ａどうし、左中ピン端子１９Ｂ、２０Ｂどうし、右中ピン端子１９Ｃ、２０Ｃどうし、右端ピン端子１９Ｄ、２０Ｄどうしは、相互に隣接する外部出力用接続部１９ｂ、２０ｂの離間距離Ｄ３よりも、相互に隣接するコネクタ用接続部１９ａ、２０ａの離間距離Ｄ４の方が長くなるように形成されている。これは屈曲部１９ｃ、２０ｃが、Ｘ方向のみならずＹ方向でも屈曲するねじれ屈曲形状であることによる。このＹ方向への屈曲量はすべてのピン端子１９、２０で同じである。
【００５３】
カメラモジュール１の作用と効果
次に、既に説明したものを除き、カメラモジュール１の作用と効果について説明する。
【００５４】
ピン端子１９、２０は、Ｘ方向、Ｙ方向に屈曲する屈曲部１９ｃ、２０ｃを有し、複数の第１のピン端子１９の配列Ｘ方向で隣接する外部出力用接続部１９ｂ、２０ｂどうしの離間距離Ｄ１よりも、Ｘ方向で隣接するコネクタ用接続部１９ａ、２０ａどうしの離間距離Ｄ２の方が長く形成されている。また、Ｙ方向で隣接する外部出力用接続部１９ｂ、２０ｂどうしの離間距離Ｄ３よりも、Ｙ方向で隣接するコネクタ用接続部１９ａ、２０ａどうしの離間距離Ｄ４の方が長く形成されている。したがって、カメラモジュール１は、外部出力用接続部１９ｂ、２０ｂについては、図６の二点鎖線で示す屈曲部を欠如する場合と比較して、嵌合接続するハーネス用コネクタ（図示略）のＸ方向、Ｙ方向での小型化に対応しながらも、コネクタ用接続部１９ａ、２０ａについては、嵌合接続する中継コネクタ８に対して正しく嵌合接続することができる。
【００５５】
カメラモジュール１は、前述のようにハーネス用コネクタが小型化されても、屈曲部１９ｃ、２０ｃによって、コネクタ用接続部１９ａ、２０ａのＸ方向、Ｙ方向での離間距離Ｄ２、Ｄ４については長くすることができる。そのため、中継コネクタ８を全体的に小型化することによる問題、即ち可動ハウジング１１の隣り合う接続室１４の配置間隔が狭くなり、傾斜する誘導面１６の角度θを大きくしてＸ−Ｙ方向への広がりが小さくなり、誘導面１６を利用したコネクタ用接続部１９ａ、２０ａの誘い込み量が減少し、接続室１４の挿入軸に対してコネクタ用接続部１９ａ、２０ａの挿入位置のずれを許容できる長さが短くなってしまう不都合はない。そして、特に可動コネクタである中継コネクタ８は、誘導面１６によるＸ−Ｙ方向での大きな誘い込み量がばね部１２ｃのＸ−Ｙ方向での変位量となることから、ばね部１２ｃがＸ−Ｙ方向に変位する機能を十分に生かすことができ、また電気機器の組立上の累積公差をばね部１２ｃの変位で吸収することができる。さらに、例えば図５で示す可動ハウジング１１をＹ方向で小型化すると、コネクタ用接続部１９ａ、２０ａの挿入方向（Ｚ方向）に対する端子１２の弾性腕１２ｅの傾斜角が小さくなり、山状の接点部１２ｆの屈曲形状も小さくしなければならないため、接点部１２ｆの変位量が少なく制限されてしまい、コネクタ用接続部１９ａ、２０ａと良好な導通接続を得るために必要な接触圧が得られなくなる。しかしながら、前述のように可動ハウジング１１を小型化する必要がないので、端子１２の接点部１２ｆの接触圧を損ねることがなく、良好な導通接触を確実に得ることができる。
【００５６】
屈曲部１９ｃ、２０ｃは、第１のピン端子１９および第２のピン端子２０を構成するストレートピン等の金属片を屈曲させる曲げ加工により形成することができる。そのため、様々な屈曲形状を高精度で容易に形成することが可能である。したがって、隣接するコネクタ用接続部１９ａ、２０ａの離間距離Ｄ２、Ｄ４と、外部出力用接続部１９ｂ、２０ｂの離間距離Ｄ１、Ｄ３を所定の間隔で配置することができる。
【００５７】
屈曲部１９ｃ、２０ｃは、保持壁１７ｃの埋設部１７ｄに埋設しており、保持壁１７ｃの外部に露出していない。ここで屈曲部１９ｃ、２０ｃが保持壁１７ｃの外部に露出していると、外部出力用接続部１９ｂ、２０ｂをハーネス用コネクタと接続する際、およびコネクタ用接続部１９ａ、２０ａを中継コネクタ８と接続する際に、挿入力が屈曲形状の屈曲部１９ｃ、２０ｃに作用して曲がったり折れたりおそれがある。また、屈曲部１９ｃ、２０ｃを超えて保持壁１７ｃと当接するまでハーネス用コネクタや中継コネクタ８を挿入できない。これに対してカメラモジュール１は、屈曲部１９ｃ、２０ｃが保持壁１７ｃの埋設部１７ｄに埋設状態で保持されるので、外部出力用接続部１９ｂ、２０ｂとコネクタ用接続部１９ａ、２０ａが曲がったり折れたりすることがなく確実な導通接続が得られる。また、保持壁１７ｃと当接するまでハーネス用コネクタや中継コネクタ８を挿入することが可能となるので、前記挿入方向でのカメラモジュール１の大型化を回避できる。さらに、ハーネス用コネクタや中継コネクタ８を抜去する際に、保持壁１７ｃに第１のピン端子１９と第２のピン端子２０を抜去する力が作用しても、屈曲部１９ｃ、２０ｃが埋設部１７ｄに引っ掛かるので、第１のピン端子１９と第２のピン端子２０が保持壁１７ｃから抜け出ることを防ぐことができる。
【００５８】
実施形態の変形例
以上のようなカメラモジュール１については変形実施が可能であるため、その一例を説明する。
【００５９】
前記実施形態では、ピン端子２の本数を８本とする例を示したが、２本以上であれば何本でもよい。
【００６０】
前記実施形態では、相互に隣接するコネクタ用接続部１９ａどうしの離間距離Ｄ２、コネクタ用接続部２０ａどうしの離間距離Ｄ２をすべて同じ長さとする例を示したが、異なるようにしてもよい。例えば、左端ピン端子１９Ａと左中ピン端子１９Ｂの離間距離Ｄ２を長くし、他の離間距離Ｄ２をそれよりも短くしてもよい。また、離間距離Ｄ４も同様に、その幾つかを長くし、その幾つかを短くしてもよい。これによれば中継コネクタ８の可動ハウジング１１に設ける接続室１４の構成を多様化することができる。こうした変形例は、外部出力用接続部１９ｂ、２０ｂについても同様に適用することが可能であり、これによればハーネス用コネクタの形状を多様化することができる。
【００６１】
前記実施形態では、すべてのピン端子２の屈曲部１９ｃ、２０ｃがＸ方向とＹ方向の２方向に曲がるねじれ屈曲形状とする例を示したが、Ｘ方向のみ、またはＹ方向のみに屈曲する形状としてもよい。また、相互に隣接する一方のピン端子２については屈曲部を欠如するストレートピン形状とし、他方のピン端子２について屈曲部を設けることもできる。
【００６２】
前記実施形態では、誘導面１６の長手側誘導面１６ａと短手側誘導面１６ｂについて、可動ハウジング１１の天面１１ａ（基準線Ｌ）に対する角度θをすべて同じとする例を示したが、各面によって異なるようにしてもよい。
【００６３】
前記実施形態では、ピン端子２のコネクタ用接続部１９ａ、２０ａを接続室１４に挿入した嵌合接続状態で、コネクタ用接続部１９ａ、２０ａの外周面と誘導面１６の下端開口の口縁との間に、ほとんど隙間が無い状態で嵌合接続する例を示したが、誘導面１６の下端開口の開口面積を拡大することで、前記嵌合接続状態でコネクタ用接続部１９ａ、２０ａの外周面との間に隙間がある状態で嵌合接続する形態としてもよい。つまり、ピン端子２が屈曲部１９ｃ、２０ｃを欠如しており外部出力用接続部とコネクタ用接続部の離間距離が同一であるストレートピンであっても、接続室１４に挿入することが可能であり、接点部１２ｆと導通接触できるように誘導面１６を含めて接続室１４の形状を変更してもよい。そしてこの場合に、第１のピン端子１９と第２のピン端子２０が、例えば図５で二点鎖線で示すように、右中ピン端子１９Ｃ、２０Ｃのコネクタ用接続部１９ａ、２０ａの離間距離がＤ３となるような屈曲部を欠如するストレートピンであると、右中ピン端子１９Ｃのコネクタ用接続部１９ａの先端が長手側誘導面１６ａの上端位置の上方に位置した場合に、右中ピン端子２０Ｃのコネクタ用接続部２０ａの先端は可動ハウジング１１の天面１１ａにおける長手方向に沿う中央面１１ｃに対して当接してしまう。そうするとコネクタ用接続部１９ａ、２０ａを双方とも接続室１４に挿入することができず、中央面１１ｃに突き当たるコネクタ用接触部２０ａが座屈してしまうおそれがある。しかしながら前記実施形態では、屈曲部１９ｃ、２０ｃを有するため、前述のように誘導面１６を含めて接続室１４の形状を変更しても、図５の実線で示すように、コネクタ用接続部１９ａ、２０ａは何れも中央面１１ｃに接触することなく双方同時に誘導面１６に当接させることが可能である。
【符号の説明】
【００６４】
１      カメラモジュール（電子部品）
２      ピン端子（第１の端子、第２の端子）
３      外部接続用ケース（保持ハウジング）
４      撮像部品ケース
４ａ    光学部品
５      撮像部品
６ａ    基板
６ｂ    基板
７      内部コネクタ
８      中継コネクタ（コネクタ）
９      撮像素子
１０      固定ハウジング
１０ａ    周壁
１０ｂ    収容室
１０ｃ    側壁
１０ｄ    端子固定部
１０ｅ    側壁
１１      可動ハウジング（接続用ハウジング）
１１ａ    天面
１１ｂ    変位規制突起
１１ｃ    中央面
１２      端子
１２ａ    基板接続部
１２ｂ    固定ハウジング用固定部
１２ｃ    ばね部
１２ｄ    可動ハウジング用固定部
１２ｅ    弾性腕
１２ｆ    接点部
１３      固定金具
１４      接続室（第１の接続室、第２の接続室）
１５ａ    側壁
１５ｂ    側壁
１５ｃ    端子固定部
１６      誘導面
１６ａ    長手側誘導面
１６ｂ    短手側誘導面
１７      第１のケース
１７ａ    外筒
１７ｂ    内筒
１７ｃ    隔壁（保持壁）
１７ｄ    埋設部
１８      第２のケース
１９      第１のピン端子（第１の端子）
１９Ａ    左端ピン端子
１９Ｂ    左中ピン端子
１９Ｃ    右中ピン端子
１９Ｄ    右端ピン端子
１９ａ    コネクタ用接続部
１９ｂ    外部出力用接続部
１９ｃ    屈曲部
２０      第２のピン端子（第２の端子）
２０Ａ    左端ピン端子
２０Ｂ    左中ピン端子
２０Ｃ    右中ピン端子
２０Ｄ    右端ピン端子
２０ａ    コネクタ用接続部
２０ｂ    外部出力用接続部
２０ｃ    屈曲部
Ｄ１〜Ｄ４    離間距離
Ｌ    基準線
θ    角度
Ｘ    幅方向、左右方向
Ｙ    奥行き方向、前後方向
Ｚ    高さ方向、上下方向
【図１】
2019029168.tif 000003
【図２】
2019029168.tif 000004
【図３】
2019029168.tif 000005
【図４】
2019029168.tif 000006
【図５】
2019029168.tif 000007
【図６】
2019029168.tif 000008
【図７】
2019029168.tif 000009
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
コネクタの接続用ハウジングに形成された第１の接続室に挿入される第１の端子と、
前記接続用ハウジングに形成された第２の接続室に挿入される第２の端子と、
前記第１の端子と前記第２の端子の保持壁を有する保持ハウジングと、を備えており、
前記第１の端子と前記第２の端子は、それぞれ、前記保持壁の一方面側から前記コネクタに向けて伸長するコネクタ用接続部と、前記保持壁の他方面側から伸長する外部出力用接続部とを有する電子部品において、
前記コネクタが可動コネクタであり、
前記可動コネクタは、
固定ハウジングと、
前記接続用ハウジングとしての可動ハウジングと、
前記固定ハウジングに対して前記可動ハウジングを変位可能に支持する端子とを有しており、
前記第１の端子と前記第２の端子は、相互に隣接する前記コネクタ用接続部の離間距離が、相互に隣接する前記外部出力用接続部の離間距離よりも長いことを特徴とする電子部品。
【請求項２】
前記第１の端子と前記第２の端子の少なくとも何れかは、前記コネクタ用接続部の前記離間距離を前記外部出力用接続部の前記離間距離よりも長くする屈曲部を有する請求項１記載の電子部品。
【請求項３】
前記屈曲部は、前記第１の端子と前記第２の端子の配置方向で互いに離間するように屈曲する形状である請求項２記載の電子部品。
【請求項４】
複数の前記第１の端子と複数の前記第２の端子がそれぞれ並列に配置されており、
相互に隣接する前記第１の端子の前記屈曲部および前記第２の端子の前記屈曲部が、前記第１の端子および前記第２の端子の配列方向で互いに離間するように屈曲する形状である請求項２または請求項３記載の電子部品。
【請求項５】
複数の前記第１の端子と複数の前記第２の端子がそれぞれ並列に配置されており、
前記第１の端子の屈曲部と前記第２の屈曲部が、前記第１の端子と前記第２の端子の配置方向および前記第１の端子および前記第２の端子の配列方向で互いに離間するように屈曲する形状である請求項２〜請求項４何れか１項記載の電子部品。
【請求項６】
前記保持壁は、前記屈曲部の埋設部を有する請求項２〜請求項４何れか１項記載の電子部品。